(57)【特許請求の範囲】
【請求項１】
オーディオ信号を出力するソース機器が接続される入力端子と、
ゲインを変更可能なオーディオアンプと、
テスト信号発生部と、
前記ソース機器のインピーダンスを検出するリターン信号解析部と、
通常動作時に、前記入力端子に前記オーディオアンプを接続し、前記ソース機器のインピーダンス検出時に、前記入力端子に前記テスト信号発生部および前記リターン信号解析部を接続する切替スイッチと、
を備え、
前記ソース機器のインピーダンス検出時に、
前記テスト信号発生部は、テスト信号を発生して前記入力端子を介して前記ソース機器に入力し、
前記リターン信号解析部は、前記入力端子に戻ってきたテスト信号であるリターン信号の周波数特性に基づいて前記ソース機器のインピーダンスを検出し、該検出したインピーダンスに基づいて前記オーディオアンプの入力インピーダンスを制御する
オーディオ機器。
【請求項２】
前記リターン信号解析部に対して並列に接続されたキャパシタを備え、
前記リターン信号解析部は、前記ソース機器および前記キャパシタで構成されるローパスフィルタの特性に基いて前記ソース機器のインピーダンスを検出する
請求項１に記載のオーディオ機器。
【請求項３】
前記キャパシタは可変素子であり、
前記リターン信号解析部は、前記ソース機器のインピーダンス検出時に、前記ローパスフィルタのカットオフ周波数が所定周波数になるように前記キャパシタの静電容量を制御したのち、前記ソース機器のインピーダンスを検出する請求項２に記載のオーディオ機器。
【請求項４】
前記テスト信号発生部は、前記テスト信号としてホワイトノイズを発生し、
前記リターン信号解析部は、前記リターン信号の周波数特性に基づいて前記ソース機器のインピーダンスを検出する
請求項１乃至請求項３のいずれかに記載のオーディオ機器。
【請求項５】
前記オーディオアンプに対して並列に接続された可変インピーダンス素子を備え、
前記リターン信号解析部は、該可変インピーダンス素子のインピーダンス値を制御することで前記オーディオアンプの入力インピーダンスを制御する
請求項１乃至請求項４のいずれかに記載のオーディオ機器。
【請求項６】
前記オーディオアンプは、可変ゲインアンプであり、
前記リターン信号解析部は、検出された前記ソース機器のインピーダンスに基づいて前記オーディオアンプのゲインを制御する請求項１乃至請求項５のいずれかに記載のオーディオ機器。
【発明の詳細な説明】
【技術分野】
【０００１】
この発明は、入力端子に複数種類のソース機器が接続されるオーディオ機器に関する。
【背景技術】
【０００２】
ギターアンプにはプロが用いる高性能な機器から初級者が用いる廉価なものまで種々のものがある。そのうち廉価なものは、廉価且つ小型にするために入力端子（ジャック）の数は１または少ない数のみ設けられている（たとえば非特許文献１）。一方、ギターアンプは、単にギターが直接接続されるのみではなく種々の機器が接続される可能性がある。接続される機器としては、たとえばエレキギター、エレキベース、マイク、エフェクタなどである。
【先行技術文献】
【非特許文献】
【０００３】
【非特許文献１】“ギターアンプＧＡ１５”、[online]、ヤマハ株式会社、［平成２３年３月２１日検索］、インターネット〈http://data.yamaha.jp/sdb/local/products/images/18232/99/18232_99_1.pdf〉
【発明の概要】
【発明が解決しようとする課題】
【０００４】
高性能な機器の場合には、それぞれの機器ごとに入力端子を備え、各入力端子は対応する機器に適合した入力インピーダンスに設定されている。しかし、上記のように廉価なアンプには１または少数の入力端子しか設けられていないため、複数種類の機器が同じ入力端子に接続されることになる。しかし、上記複数種類の機器はインピーダンスがそれぞれ異なり、同じ入力端子にそのまま接続したのでは、インピーダンスの不整合により音質が劣化してしまうという問題点がある。また、機器により入力される信号レベルが異なるため、ゲインを調整しないと音量が小さ過ぎたり大き過ぎたりすることがあった。
【０００５】
廉価なギターアンプには、入力端子のインピーダンスを切り替えたりゲインを調整するスイッチを備えたものもあるが、廉価なアンプを使用するユーザは初級者が多く、インピーダンスの切り替えやゲインの調整の要領を知らない者も多い。
この発明は、入力端子に接続された機器に合わせて入力インピーダンスやゲインを検出および設定可能なオーディオ機器を提供することを目的とする。
【課題を解決するための手段】
【０００６】
この発明のオーディオ機器は、オーディオ信号を出力するソース機器が接続される入力端子と、ゲインを変更可能なオーディオアンプと、テスト信号発生部と、ソース機器のインピーダンスを検出するリターン信号解析部と、切替スイッチと、を備える。切替スイッチは、通常動作時に、入力端子にオーディオアンプを接続する。また切替スイッチは、ソース機器のインピーダンス検出時に、入力端子にテスト信号発生部およびリターン信号解析部を接続する。ソース機器のインピーダンス検出時に、テスト信号発生部はテスト信号を発生し、リターン信号解析部は、入力端子に戻ってきたテスト信号であるリターン信号の周波数特性に基づいてソース機器のインピーダンスを検出し、検出したインピーダンスに基づいてオーディオアンプの入力インピーダンスを制御する。
【０００８】
リターン信号解析部に対して並列に接続されたキャパシタを設け、リターン信号解析部が、ソース機器およびキャパシタで構成されるローパスフィルタの特性に基いてソース機器のインピーダンスを検出してもよい。
【０００９】
キャパシタを可変素子とし、リターン信号解析部が、ローパスフィルタのカットオフ周波数が所定周波数になるようにキャパシタの静電容量を制御したのち、ソース機器のインピーダンスを検出してもよい。
【００１０】
テスト信号発生部が、テスト信号としてホワイトノイズを発生し、リターン信号解析部が、リターン信号の周波数特性に基づいてソース機器のインピーダンスを検出してもよい。
【００１１】
オーディオアンプに対して並列に接続された可変インピーダンス素子を設け、リターン信号解析部が、可変インピーダンス素子のインピーダンス値を制御することでオーディオアンプの入力インピーダンスを制御してもよい。
【００１２】
オーディオアンプを可変ゲインアンプとし、リターン信号解析部が、検出されたソース機器のインピーダンスに基づいてオーディオアンプのゲインを制御してもよい。
【発明の効果】
【００１３】
この発明によれば、入力端子に接続されたソース機器のインピーダンスを検出し、入力インピーダンスやゲインを設定することが可能になる。
【図面の簡単な説明】
【００１４】
【図１】この発明の実施形態であるオーディオアンプの概略構成図
【図２】インピーダンス切替回路の構成図
【図３】ソース機器のインピーダンス検出の手法を説明する図
【図４】インピーダンス設定動作を示すフローチャート
【図５】ゲイン設定動作を示すフローチャート
【発明を実施するための形態】
【００１５】
図面を参照してこの発明の実施形態であるオーディオアンプについて説明する。このオーディオアンプは、スピーカを内蔵した例えばギターアンプのようなアンプであり、以下のような特徴を有する。コンパクト且つ廉価にするため、入力端子（ジャック）は１つのみ設けられている。この１つの入力端子に複数種類のソース機器が接続される。接続されるソース機器には、例えばエレキギター、エレキベース、ダイナミックマイク、エフェクタなどがある。これらソース機器のインピーダンス、信号レベルは様々異なるため、入力端子の直後でこれを検出し、この検出結果に基づいてオーディオアンプの入力インピーダンス、フロントアンプのゲインを自動調整する。
【００１６】
図１はオーディオアンプ１の概略構成図である。オーディオアンプ１は、入力端子１１、インピーダンス切替回路１２、可変ゲインフロントアンプ１３、アンプ本体回路１４、スピーカ１５、信号発生部１６および制御部１０を備えている。
【００１７】
アンプ本体回路１４は、オーディオ信号をイコライズおよび増幅してスピーカ１５に出力する回路である。
【００１８】
入力端子１１は、上述した各種のソース機器２が接続される端子であり、ホット端子１１Ａ、コールド端子１１Ｂからなる２極端子である。入力端子１１は、たとえばＴＳ型のフォーンジャックを用いればよいが、オーディオ周波数の電気信号の入力ができればよく規格・形状に制約はない。なお、コールド端子１１Ｂは、アース（フレームアース）に直接接続されてはいない。ソース機器２は、ケーブル３を介して入力端子１１に接続される。ケーブル３は、いわゆる１芯のシールドケーブルであり、芯線３Ａがホット端子１１Ａに接続され、シールド線（編線）３Ｂがコールド端子１１Ｂに接続される。なお、本発明に入力端子１１は２極に限定されない。
【００１９】
インピーダンス切替回路１２は、入力端子１１のインピーダンス（オーディオアンプ１の入力インピーダンス）を切り替える回路である。図２はインピーダンス切替回路１２の構成を示す図である。インピーダンス切替回路１２は、切替スイッチ１２０、可変抵抗器１２１、可変キャパシタ１２２を有している。切替スイッチ１２０は、通常動作時は入力端子１１を可変抵抗器１２１側に接続し、入力インピーダンス検出時は入力端子１１を可変キャパシタ１２２側に接続する。可変抵抗器１２１はたとえば複数の抵抗器をアナログスイッチによって接続切替することよって複数の抵抗値を得られるようにしたものが用いられる。可変キャパシタ１２２は複数のバリキャップをアナログスイッチを介して並列に接続し、各バリキャップの容量および接続／切断を切り替えることによって複数の静電容量を得られるようにしたものが用いられる。切替スイッチ１２０の切り替え、可変抵抗器１２１の抵抗値、可変キャパシタ１２２の容量は制御部１０によって制御される。
【００２０】
図２は、通常動作時のインピーダンス切替回路１２の接続形態を示している。オーディオアンプとしての通常動作を行う場合には、切替スイッチ１２０を可変抵抗器１２１側に切り替え、入力端子１１（ホット端子１１Ａ、コールド端子１１Ｂ）に並列にソース機器２のインピーダンスに対応する抵抗値の抵抗１２１を接続してインピーダンス整合を行い、入力端子１１から入力されたオーディオ信号を後段の可変ゲインフロントアンプ１３に入力する。
【００２１】
図２において、切替スイッチ１２０を切り替えると、入力端子１１に接続されたソース機器２のインピーダンスを検出する場合のインピーダンス切替回路１２の接続形態となる。ソース機器２のインピーダンスを検出する場合には、切替スイッチ１２を可変キャパシタ１２２側に切り替える。入力端子１１のホット端子１１Ａに可変キャパシタ１２２およびＡ／Ｄコンバータ１７が接続され、コールド端子１１Ｂに信号発生部１６が接続される。信号発生部１６は、ソース機器２のインピーダンス検出用のテスト信号としてホワイトノイズを発生する回路である。これにより、信号発生部１６が発生したホワイトノイズは、コールド端子１１Ｂ、シールド線３Ｂ、ソース機器２、芯線３Ａ、ホット端子１１Ａを通って可変キャパシタ１２２に戻り、この信号がＡ／Ｄコンバータ１７によってデジタル信号に変換された制御部１０入力される。
【００２２】
なお、インピーダンス切替回路１２において、インピーダンス検出側のホット端子１１Ａ、コールド端子１１Ｂの接続は逆であってもよい。すなわち、入力端子１１のコールド端子１１Ｂ側に可変キャパシタ１２２およびＡ／Ｄコンバータ１７を接続し、ホット端子１１Ａ側に信号発生部１６を接続してもよい。
【００２３】
制御部１０は、マイクロコンピュータで構成され、インピーダンス切替回路１２を制御してソース機器２のインピーダンスを検出する。また、検出されたインピーダンスに応じてインピーダンス切替回路１２、可変ゲインフロントアンプ１３を制御する。
【００２４】
図３を参照して、上記オーディオアンプ１におけるソース機器２のインピーダンスの検出方法について説明する。図３（Ａ）はローパスフィルタの基本的な構成図である。信号線路のホット側に直列に抵抗器Ｒが挿入され、信号線路のホット側とコールド側の間にキャパシタＣが並列に接続される。これらのＲ，Ｃでフィルタの特性すなわちカットオフ周波数Ｆｃが決定される。図３（Ｂ）は同図（Ａ）に示したローパスフィルタの基本的な周波数特性を示す図である。低周波側に利得が平坦な通過帯域があり、この通過帯域から遮断帯域に向けて徐々に利得が低下する過渡領域がある。この過渡領域で通過帯域から利得が−３ｄＢが低下する周波数をカットオフ周波数Ｆｃと呼ぶ。
【００２５】
オーディオアンプ１では、図３（Ｃ）に示すように、ソース機器２のインピーダンスを上記ローパスフィルタのＲに見立て、自装置の可変キャパシタ１２２を上記ローパスフィルタのＣに見立ててカットオフ周波数Ｆｃを測定し、このＦｃに基づいてソース機器２のインピーダンスＺを検出する。
【００２６】
すなわち、図３（Ｃ）において、入力端子１１のコールド端子１１Ｂから信号を入力し、ソース機器２（インピーダンスＺｏｕｔ）を通過してホット端子１１Ａに戻ってきた信号を可変キャパシタ１２２の後段でデジタル信号に変換して制御部１０に取り込み、ＦＦＴすることよよってカットオフ周波数Ｆｃを測定する。そして、このＦｃおよび自装置（既知）のＣに基づいてソース機器２のインピーダンスＺｏｕｔを検出する。Ｚｏｕｔ（すなわちＲ）は、ローパスフィルタの特性式Ｆｃ＝１／２πＲＣに基づき、
Ｚｏｕｔ＝１／（２πＣ・Ｆｃ）
で算出される。
【００２７】
ここで、ソース機器２およびケーブル３にはキャパシタンス成分、インダクタンス成分が含まれると推定される。これを無視してソース機器２のインピーダンスをＲとして扱うことができるように、可変キャパシタ１２２の値Ｃを十分に大きな値にして可変キャパシタ１２２の静電容量を上記のローパスフィルタの系において支配的にするとともに、カットオフ周波数Ｆｃを低い値にシフトした状態でカットオフ周波数Ｆｃを測定する。
【００２８】
図４は、制御部１０によるインピーダンス設定処理を示すフローチャートである。まず切替スイッチ１２０を可変キャパシタ１２１側に切り替える（Ｓ１）。そして可変キャパシタ１２１の静電容量を最小に設定する（Ｓ２）。こののち、コールド端子１１Ｂから信号（ホワイトノイズ）を注入する（Ｓ３）。信号注入の結果、ソース機器２から信号のリターンがあったか、すなわち、Ａ／Ｄコンバータ１７から制御部１０に信号が入力されたか否かを判断する（Ｓ４）。信号が検出されなかった場合には（Ｓ４でＮＯ）、プリアンプやエフェクタなどアクティブなドライブ回路を持つ機器が接続されており、そのインピーダンス（出力インピーダンス）は１ｋΩ以下の低い値であると判定して（Ｓ１５）、Ｓ１２に進む。
【００２９】
一方、Ｓ４で信号が検出された場合には（Ｓ４でＹＥＳ）、特定周波数Ｆｓ（たとえば１ｋＨｚ）における信号レベルを検出する（Ｓ５）。そして、この特定周波数Ｆｓにおける信号レベルが−３ｄＢ低下するまで可変キャパシタ１２１の静電容量を増加させる（Ｓ６〜Ｓ８）。これにより、ソース機器２のインピーダンスＺ、可変キャパシタ１２２で構成されるローパスフィルタのカットオフ周波数Ｆｃが特定周波数Ｆｓとなる。
【００３０】
そして、可変キャパシタ１２２の静電容量Ｃをさらにｎ（＝１０）倍に大きくする（Ｓ９）。これにより、ローパスフィルタのカットオフ周波数Ｆｃは約１／ｎに低下する。ただし、正確には１／ｎにはならずソース機器２に含まれるキャパシタンス成分、インダクタンス成分の影響が低減される。この状態で入力された信号をＦＦＴしてカットオフ周波数Ｆｃを検出し（Ｓ１０）、検出したカットオフ周波数に基づいてＲすなわちソース機器２のインピーダンスＺｏｕｔを算出する（Ｓ１１）。
【００３１】
以上の処理ののち、信号の注入を停止し（Ｓ１２）、算出（判定）されたインピーダンスＺに整合するよう可変抵抗器１２１の抵抗値を制御し（Ｓ１３）、切替スイッチ１２０を可変抵抗器１２１側に切り替えて（Ｓ１４）動作を終了する。
【００３２】
以上のインピーダンス設定処理により、ソース機器２のインピーダンスに合わせてオーディオアンプ１の入力インピーダンスを自動設定することが可能になる。さらに、図５に示すように、信号レベル推定処理を追加で行うことにより、フロントアンプ１３のゲインの自動設定も可能になる。
【００３３】
なお、Ｓ９〜Ｓ１１のカットオフ周波数Ｆｃの検出処理は、Ｓ９で設定する可変キャパシタ１２２の静電容量値を種々変更しながら複数回行い、それぞれのＦｃおよびＣでＲを算出し、その平均値または収束値を求めてソース機器２のインピーダンスＺｏｕｔとしてもよい。
【００３４】
なお、以上の実施形態としてはテスト信号としてホワイトノイズを用いているが、テスト信号はホワイトノイズに限定されない。たとえばテスト信号としてスイープ信号を用い、リターン信号のレベル変化曲線を周波数スペクトルとして用いてもよい。また、複数の周波数の信号を順次または同時に発生させてもよい。
【００３５】
図５（Ａ）は、制御部１０のゲイン設定処理を示すフローチャートである。図５（Ｂ）は制御部１０が記憶している設定ゲインテーブルを示す図である。図５（Ａ）において、まず、図４のインピーダンス設定処理を実行する（Ｓ２１）。そして、この処理でソース機器２から信号のリターンが検出されたかを判定する（Ｓ２２：図４のＳ４と同様）。信号のリターンがなかった場合には（Ｓ２２でＮＯ）、図５（Ｂ）に示すテーブルのＤに分類されるプリアンプやエフェクタなどの機器が接続されていると判定して（判定Ｄ）、フロントアンプ１３のゲインを小さく設定する（Ｓ３１）。信号のリターンがあった場合には（Ｓ２２でＹＥＳ）、算出されたインピーダンスＺｏｕｔが所定値（たとえば１ｋΩ）より大きいかを判定する（Ｓ２３）。インピーダンスＺｏｕｔが所定値以下であれば（Ｓ２３でＮＯ）、図５（Ｂ）に示すテーブルのＣに分類されるダイナミックマイクなどの機器が接続されていると判定して（判定Ｃ）、フロントアンプ１３のゲインを小さく設定する（Ｓ３２）。
【００３６】
算出されたインピーダンスＺｏｕｔが所定値より大きい場合には（Ｓ２３でＹＥＳ）、ソース機器２はエレキギター（のピックアップ）またはエレキベース（のピックアップ）であるとして、切替スイッチ１２０を通常動作時の状態に切り替えて、ユーザ（演奏者）に対して試し弾きを指示する（Ｓ２４）。この指示はたとえば、スピーカ１５から音声で出力すればよい。ここではＡ弦（ギターの第５弦またはベースの第３弦）の開放を弾くように指示する。入力された演奏音の周波数を測定し（Ｓ２５）、Ａ１（＝１１０Ｈｚ）であればソース機器２がエレキギターであると判定し（判定Ａ）、Ａ０（＝５５Ｈｚ）であればソース機器２がエレキベースであると判定する（判定Ｂ）。判定Ａでは、図５（Ｂ）に示すテーブルのＡに分類されるエレキギターが接続されていると判定して、フロントアンプ１３のゲインを中程度に設定する（Ｓ３４）。また、判定Ｂでは、図５（Ｂ）に示すテーブルのＢに分類されるエレキベースが接続されていると判定して、フロントアンプ１３のゲインを大きく設定する（Ｓ３３）。
【００３７】
なお、この例では試し弾きする弦をＡ弦の開放としたが、どの弦であっても構わない。たとえば最低音のＥ弦の開放であってもよい。また、接続されているソース機器２を入力される楽音の音高でなく音量で判断してもよい。その場合には、演奏者に通常（たとえばｍｆ）の音量で演奏させ、そのときの信号レベルで接続されているソース機器２（たとえばエレキギター，エレキベース等）を判定してもよい。
【００３８】
また、図４、図５の処理は、いつ実行されてもよいが、制御部１０が入力端子１１の状態を監視し、開放状態から導通状態に変化したとき、すなわち何らかのソース機器２が接続されたとき実行するようにしてもよい。
【符号の説明】
【００３９】
１    オーディオアンプ
２    ソース機器
１１  入力端子
１１Ａ  ホット端子
１１Ｂ  コールド端子
１２０  切替スイッチ
１２１  可変抵抗器
１２２  可変キャパシタ
【図１】
0005892354.tif 000002
【図２】
0005892354.tif 000003
【図３】
0005892354.tif 000004
【図４】
0005892354.tif 000005
【図５】
0005892354.tif 000006